(57)【要約】【解決手段】電気ランプは、Ｈ字形の断面のピンチシール（４）を有してなる放電容器（１）から構成される。一対の金属製取付部材（１０）が各ピンチシール（４）にクリック止めされ、ランプは管状の石英ガラススリーブに取り付けられる。ランプは、ガラススリーブを通って流れる流体の殺菌に使用される。ランプは、容易に、ガラススリーブに取り付けられ、取り外される。【選択図】図１
2008538156.tif 000002
【特許請求の範囲】
【請求項１】
電気ランプであって、
長手方向軸線（２）と、軸線平面Ｐと、それぞれにピンチシール（４）が設けられた両端部分（３）とを有し、各ピンチシール（４）が平面Ｐに沿った２つの反対向きの主側面（４１）と２つの反対向きの幅狭な側面（４２）とを有している管状ガラス放電容器（１）と、
前記放電容器（１）内に配置された対向する電極（５）と、
それぞれの電極（５）に接続された電流導体（６）であって、それぞれのピンチシール（４）を貫通して前記放電容器（１）から出る電流導体と、
前記放電容器（１）に充填されたイオン化可能なガスと、
前記放電容器（１）を管状ガラススリーブに取り付けるためにピンチシール（４）に設けられた金属製取付部材（１０）とを備えている電気ランプにおいて、
前記ピンチシール（４）は、前記軸線（２）に交差する断面がＨ字形であり、一対の取付部材（１０）が各シール（４）に設けられ、各取付部材（１０）は幅狭の側面（４２）を把持し、クランプ嵌合して前記主側面（４１）に係合し、
各取付部材（１０）は、平面Ｐの片側に、軸線方向に延びた支持部分（１１，１２）を有し、該支持部分はそれぞれの主側面（４１）から離れて位置している、
ことを特徴とする電気ランプ。
【請求項２】
前記ピンチシール（４）は横断方向に延びるプロファイル（４３）を有し、前記取付部材（１０）は、軸線変位を打ち消すように、前記それぞれのピンチシール（４）のプロファイル（４３）と協働する、
請求項１に記載の電気ランプ。
【請求項３】
前記各取付部材（１０）は、比較的剛性的な支持部分（１１）と、比較的弾性的な支持部分（１２）とを有している、
請求項１又は２に記載の電気ランプ。
【請求項４】
対となった前記取付部材（１０）が、ブリッジ（１３）によって互いに一体化されている、
請求項３に記載の電気ランプ。
【請求項５】
前記取付部材は屈曲した金属ワイヤから構成されている、
請求項３に記載の電気ランプ。
【請求項６】
前記各取付部材（１０）は、軸線方向に向けられた金属製舌部（１４）を保持し、放電容器（１）の隣接する端部部分（３）を越えて延び、半径方向のフック端部（１５）を有している、
請求項１又は２に記載の電気ランプ。
【請求項７】
前記放電容器（１）は、少なくとも一つのピンチシール（４）に隣接した第２のピンチシール（７）を有し、前記電流導体（６）は、少なくとも一つのピンチシール（４）と第２のピンチシール（７）との間のスペースに延び、ひだ（６’）を有している、
請求項１又は２に記載の電気ランプ。
【請求項８】
放電容器（１）は、前記端部部分（３）に、開いた円筒形の端部（９）を有している、
請求項７に記載の電気ランプ。
【発明の詳細な説明】
【技術分野】
【０００１】
本発明は、
長手方向軸線と、軸線平面Ｐと、それぞれがピンチシールを有してなる両端部分とを有し、各ピンチシールは平面Ｐに沿った２つの反対向きの主側面と２つの反対向きの幅狭な側面とを有する管状ガラス放電容器と、
放電容器内に配置された対向する電極と、
それぞれの電極に結合された電流導体であって、それぞれのピンチシールを貫通して放電容器から出る上記電流導体と、
放電容器に充填されたイオン化可能なガスと、
放電容器を管状ガラススリーブに取り付けるためにピンチシールに設けられた金属製取付部材とを備えている電気ランプに関する。
【背景技術】
【０００２】
上述した電気ランプの実施形態が、ＥＰ−Ａ−０ ５４０ ０１９号によって知られている。
【０００３】
公知のランプにおいて、放電容器は、エンベロープ内に取り付けられている。金属製取付部材が、ピンチシールの横断方向端面に設けられている。金属製取付部材は、金属ロッドによって互いに一体化され、この金属ロッドは放電容器に沿って延び、放電容器に溶接されている。ロッドは、放電容器をエンベロープ内で支持する。ストリップが、取付部材から半径方向に延びて、エンベロープ内で放電容器を取り囲むガラススリーブを軸線方向に支持し、ガラススリーブを取り囲む円形に屈曲したバンドを有している。
ロッドは、放電容器とガラススリーブとを一体化させて、永久的なユニットを構成する。
【発明の開示】
【発明が解決しようとする課題】
【０００４】
公知のランプの不都合は、放電容器が永久的にガラススリーブに取り付けられ、交換できないことである。
【０００５】
本発明の目的は、初めのパラグラフに述べたタイプの電気ランプであって、簡単な構造を有し、容易に、ガラススリーブに取り付け及び取り外せる電気ランプを提供することである。
【課題を解決するための手段】
【０００６】
この目的を達成するために、ピンチシールは軸線に交差する断面がＨ字形であり、一対の取付部材が各シールに設けられ、各取付部材は幅狭の側面を把持し、主側面にクランプ嵌合して係合し、各取付部材は、平面Ｐの片側に、軸線方向に延びた支持部分を有し、該支持部分はそれぞれの主側面から離れて位置している。
【０００７】
放電容器の製造が完了した後に、半径方向にシールに接近した取付部材は、ピンチシール上の所定位置に単にクリック止めされ、ケーブルを有するコネクタを放電容器のひとつの端部部分に配置し、コネクタを前にして、放電容器をガラススリーブ内に摺動させる。第２のコネクタが配置されるとき、ランプは、スリーブを通って流れる例えば水などの液体を、例えば殺菌又はクリーニングするのに適している。例えば、寿命時間が経過した後には、ランプはスリーブから容易に取り外され、一方、スリーブ自体はそれが属する装置における所定位置に残される。これに関して、公知のランプの状況とは対照的に、すべての取付部材が完全にスリーブの内側にあることに留意することは興味深い。
【０００８】
取付部材は、放電容器をガラススリーブに導入して出し入れするのを容易にするグライダーとして働き、放電容器自体をスリーブから離して状態に維持するスペーサー及びバッファとして働き、液体の流通の結果、スリーブに生じる振動を緩衝する。この緩衝機能によって、より高い速度で液体を流すことができる。これは、振動にさらされたとき、スリーブの破砕のリスクを引き起こすセラミックスペーサーを有するランプとは対照的である。破砕は、液体をスリーブに浸透させ、それにより、回路の短絡を引き起こす。
【０００９】
クランプ帯が使用される場合のように、取付部材をピンチシールに固定するのに溶接作業を行う必要がないことは有利である。別の利点は、取付部材が軸線方向ではなく半径方向にピンチシールに接近して取り付けられることであり、というのは、ピンチシールの形成には大きな自由度が存在し、異なるサイズの放電容器の端部部分と、ピンチシールを越えた形状を有するためである。
【００１０】
別の利点は、セラミックの取付部材を有するランプの場合のようには、取付部材を固定するのにセメントが使用されないことである。ランプの作動中には、セメントは比較的揮発性の成分を失ない、これがガラススリーブに堆積して、放射の放出を妨げる。
【００１１】
取付部材はクランプ式にのみピンチシールに取り付けられるけれども、ピンチシールが横断方向に延びるプロファイルを有し、取付部材がそれぞれのピンチシールのプロファイルと協働して、軸線方向の変位を打ち消すならば有利である。このようなプロファイルは、例えば、幅狭の側面又は主側面に設けた凹部、または、例えば、主側面に設けた１又は複数のボスである。
【００１２】
ひとつの実施形態においては、各取付部材は、比較的剛性的な支持部分と、比較的弾性的な支持部分とを有する。これの利点は、弾性的な部分が比較的剛性的な部分をスリーブに対して促し、それにより、放電容器がスリーブの所定の半径部分を占めることである。望ましいならば、放電容器は偏心部分を有し、スリーブまでの距離は局所的に最小化する。
【００１３】
組み立てをさらに容易にするために、一対の取付部材は、ブリッジによって互いに一体化される。ブリッジは、比較的弱い部分を有し、組み立て中に、比較的容易に変形する。
取付部材は金属シートから作られるが、取付部材が屈曲させた金属ワイヤから構成されるならば有利である。これは、シート材料を打ち抜いた部材に比べて、多量の材料の節約になる。ワイヤが使用されるとき、材料には全く又は実質的に損失がない。
【００１４】
金属は、ランプの作動中にさらされる温度に耐えられるように選択されて、取付部材に使用される。一般的に、前記温度は約５６０℃である。適当な金属の例は、ニッケル−コバルト−クロム鋼であって、例えばインコネル７１８として知られたタイプの鋼は、５０重量％のニッケル−クロム含有量と、１７重量％のコバルト含有量と、釣合をとる鉄（balance iron）とを有している。
【００１５】
ひとつの実施形態においては、各取付部材は、軸線方向に向けられた金属製舌部を保持し、放電容器の隣接する端部部分を越えて延び、半径方向のフック端部を有している。これらの舌部は、コネクタと機械的に協働し、コネクタはランプに供給する電気エネルギー源に接続されたケーブルを有する。舌部は、ランプを操作する間に、コネクタを確実に所定位置に保持する。
【００１６】
実施形態の好ましい変形例においては、取付部材が金属ワイヤから構成され、軸線方向に向けられた金属製舌部は、放電容器の隣接する端部部分を越えて延び、半径方向のフック端部を有し、取付部材と一体的になっている。
【００１７】
好ましい実施形態においては、放電容器は、少なくとも一つのピンチシールに隣接させて第２のピンチシールを有し、電流導体は、少なくとも一つのピンチシールと第２のピンチシールとの間のひだを有するスペースに延びている。ランプがスリーブの周囲大気にて作動するとき、電流導体は酸化に対して保護されることが好ましい。この実施形態においては、少なくとも一つのピンチシールを延通する電流導体は、放電容器から出る前に、前記スペース内で冷却される。冷却を高めるために、スペースは好ましくは、例えば窒素などの不活性ガスで充填される。また、電流導体は、電気抵抗を下げるために、スペース内にて二重にしても良い。ひだは隣接するシールに固定された電流導体の膨張を許容するために働き、それらの互いの距離はランプの点灯後にはほとんど変化せず、これは、石英ガラスなど高いＳｉＯ2含有量のガラスの低い熱膨張と、一方、電流導体は大きな熱膨張係数を有していることに起因する。
【００１８】
例えば、ランプが使用される装置内の配置によって、作動中に他方のピンチシールが比較的低温であるならば、一方のピンチシールに隣接して第２のピンチシールを設けるだけで充分である。第２のピンチシールは好ましくは、各端部部分に存在している。
【００１９】
その端部部分において、放電容器は開いた円筒形の端部を有している。これは、コネクタのための着座部として使用される。さらに、この端部は、主側面のレベルの上方に迫り出し、取付部材の軸線方向の変位を防ぐための隣接したピンチシールのプロファイルとして働く。シールと第２のシールとの間のスペースは、その壁がこの機能を有している。
以下、本発明の実施形態による電気ランプについて説明し、添付図面を参照して明らかにされる。
【発明を実施するための最良の形態】
【００２０】
図１において、電気ランプは、長手方向軸線２を有する管状の石英ガラス放電容器１と、軸線平面Ｐと、それぞれがピンチシール４を有してなる両端部分３とを有する。各ピンチシール４は、２つの反対向きの主側面４１と２つの反対向きの幅狭な側面４２とを有している。放電容器１内には対向するタングステン電極５が配置される。それぞれの電極５に結合された電流導体６は、それぞれのピンチシール４を通して放電容器１から出ている。放電容器１内には、イオン化可能なガスが存在している。図示のランプにおいては、充填物は、水銀と、９５／５体積％のＡｒ／Ｋｒ混合物からなる。放電容器は、約６１cmの全長を有する。ランプは、１１５０Ｖの電圧において５．６ｋＷの消費電力を有する。金属製取付部材１０は、放電容器１を管状石英ガラススリーブに取り付けるために、ピンチシール４に設けられる。
【００２１】
ピンチシール４は、図２に示すように、軸線２に交差する断面がＨ字形である。各シール４には、一対の取付部材１０が設けられる。各取付部材１０は、幅狭の側面４２を把持し、主側面４１にクランプ嵌合して係合している。各取付部材１０は、平面Ｐの片側に、軸線方向に延びた支持部分１１，１２を有し、該支持部分はそれぞれの主側面４１から離れて位置している。
【００２２】
ピンチシール４は横断方向に延びるプロファイル４３を有し、取付部材１０はそれぞれのピンチシール４のプロファイル４３と協働して、軸線変位を打ち消す。図において、幅狭の側面４２に設けた凹部は、横断方向に延びるプロファイル４３を構成している。
【００２３】
各取付部材１０（図３及び図４参照）は、比較的剛性的な支持部分１１と、比較的弾性的な支持部分１２とを有し、図においては、支持部分１２は比較的長い、滑らかに屈曲した部分１６の端部になっている。ランプをガラススリーブに導入するのを容易にするため、支持部分１１の端部と、支持部分１２の端部とは、互いに屈曲されている。
【００２４】
図５において、一対の取付部材１０は、ブリッジ１３によって互いに一体化している。ブリッジ１３は、組み立てを容易にするため、弱い部分１７を有している。図は、一対の取付部材１０が互いの鏡像であることを示している。これは、支持部分１２が、放電容器から支持部分１１に隣接するスリーブまでの距離を最小化する効果を有する。しかしながら、放電容器の中心位置は、同一の取付部材又は寸法の調節によって達成される。
【００２５】
図１において、各取付部材１０は、軸線方向に向けられた金属製舌部１４を保持し、金属製舌部１４は、放電容器１の隣接する端部部分３を越えて延び、半径方向のフック端部１５を有している。この金属舌部１４は取付部材１０と一体的であるが、これはかなりの金属を消費する。さもなければ、舌部は取付部材１０に溶接され、または、取付部材１０と、幅狭の側面４２に設けられた凹部に着座したピンチシール４とによって取り囲まれ、横断方向に延びるプロファイル４３を構成してもよい。
【００２６】
放電容器１は、ひとつのピンチシール４に隣接させて第２のピンチシール７を有し、電流導体６は、前記ひとつのピンチシール４と第２のピンチシール７との間のひだ６’を有するスペースに延びている。必要であれば、この第２のピンチシール７は、取付部材１０を支持してもよい。
【００２７】
放電容器１の端部部分３は、開いた円筒形の端部９を有している。この端部９は、隣接するピンチシール４の主側面４１に対して高さを有し、横断方向に延びるプロファイルとして使用される。同様に、ピンチシール４と第２のピンチシール７との間のスペースの壁は、横断方向に延びるプロファイルを構成する。
【００２８】
図６において、取付部材１０は、屈曲させた金属ワイヤから構成される。
取付部材１０は、図１のランプのピンチシール４に取り付けられ、片方にある部分ｘｃ，ｚｃ，１３及び他方にある部分１１０によって、端部９及びスペース８の壁で軸線方向に取り囲まれる。
【００２９】
図７において、屈曲した金属ワイヤからなる取付部材１０は、半径方向のフック端部１５を備え、軸線方向に向けられた金属舌部１４を具備している。
【図面の簡単な説明】
【００３０】
【図１】図１は、第１の実施形態を示した斜視図である。
【図２】図２は、図１のII−II線に沿ったピンチシールの断面図である。
【図３】図３は、図１で使用された取付部材を斜視図にて示している。
【図４】図４は、図３の線IVに沿った側立面図である。
【図５】図５は、図３及び図４の取付部材をブリッジによって一体化させ、第２の取付部材を斜視図にて示している。
【図６】図６は、第２の実施形態の取付部材を示している。
【図７】図７は、図６の取付部材に軸線方向の金属舌部を設けたものを示している。
【図１】
2008538156.tif 000003
【図２】
2008538156.tif 000004
【図３】
2008538156.tif 000005
【図４】
2008538156.tif 000006
【図５】
2008538156.tif 000007
【図６】
2008538156.tif 000008
【図７】
2008538156.tif 000009